(57)【要約】 【課題】  円筒状フィルタの出し入れを容易に行うことができるろ過ユニットを提供する。【解決手段】上部にフィルタ挿入開口部８ａを設けたハウジング８の胴部に原水供給口９と、上部と下部に逆洗用圧縮空気送入ソケットを設けたろ過水取出し口１０ａ、１０ｂを設け、雄ねじ部１２を設けた軸棒１２を立設し、且つその周囲に円筒状フィルタ１３の下部係合部１４ａを設けたろ過水排水口１４を備えた底盤１５をハウジング８に固定する。円筒状フィルタ１３の上部と係合する上部係合部１６ａを備えたろ過水排水口１６を設けた上部保持盤１８と、この上部保持盤１８を支承する上部保持盤受部１９をハウジング８の内面に設け、前記軸棒１２の雄ねじ部１２ａにノブスターナット２０を螺合して、円筒状フィルタ１３を固定し、ハウジング８の内面にフィルタガイド板２６を設け、開閉蓋５を緊締装置２３で固定する。【選択図】図３
2019093322.tif 000002
【特許請求の範囲】
【請求項１】
上部にフィルタ挿入開口部を設け、且つ胴部に原水供給口を設けると共に上部と下部にろ過水取出口を設けたハウジングと、該ハウジングの前記フィルタ挿入開口部に緊締装置によって固定される開閉蓋と、前記ハウジングの内底部に固定され、円筒状フィルタの下部係合部を設けた適数のろ過水排出口及び先端に雄ねじ部を設けた軸棒を中心に立設した底盤と、前記円筒状フィルタの上部係合部を設けた適数のろ過水排出口及び取手を設けた前記円筒状フィルタの上部保持盤と、該上部保持盤に設けた中心孔に挿通した前記軸棒の雄ねじに螺合するロックナットと、前記ハウジング内面に設けた上部保持盤受部と、前記ハウジング内面に適宜間隔に設けたフィルタガイドとを具備したことを特徴とするろ過ユニット。
【請求項２】
前記緊締装置は、ハウジングの外面に枢着したアイボルトとスピンドルハンドルから成ることを特徴とする請求項１記載のろ過ユニットである。
【請求項３】
前記軸棒の雄ねじ部に螺合するナットにノブスターナットを用いたことを特徴とする請求項１記載のろ過ユニット。
【請求項４】
前記フィルタガイドは、軸棒の挿通孔と円筒状フィルタの挿通孔及び周囲に原水流通用の切欠又は透孔を設けた金属板であることを特徴とする請求項１記載のろ過ユニット。
【請求項５】
前記ろ過水取出口に逆洗用圧縮空気送入ソケットを設けたことを特徴とする請求項１記載のろ過ユニット。
【請求項６】
請求項1から５のいずれか一項に記載するろ過ユニットを備えたプール水浄化装置。
【発明の詳細な説明】
【技術分野】
【０００１】
本発明は、プ−ル水を始めとして、飲料水、ジュース、酒類、液体調味料等の飲食用液体、工業用水を始めとする工業用液体、排水、排液、雨水、湖水、河川水等のろ過に好適なろ過ユニットに関するものである。
【背景技術】
【０００２】
現在、多くのプール水の浄化装置では、図１に示すように、必要なろ過能力に応じた本数のろ過ユニット１を並設し、各ろ過ユニット１の上部ろ過水排出口をビクトリアンジョイント２をそれぞれ介してろ過水排水管３に連結するようにしているが、ろ過ユニット１からのフィルタの取り出しや装着時に、前記ビクトリアンジョイント２の着脱に手間を要し、メンテナンス作業に多大の時間を要していた。
【先行技術文献】
【特許文献】
【０００３】
【特許文献１】特開２００１−３８１１５号公報
【発明の概要】
【発明が解決しようとする課題】
【０００４】
図１に示す従来装置では、前述のようにビクトリアンジョイント２の着脱に手間を要するだけでなく、複数本の円筒状フィルタを上下のエレメントプレートで挟み、軸棒とロックナットで締結して、前記複数本の円筒状フィルタを同時にハウジングから取り出す構造としているため、各円筒状フィルタの脱着にも手間と時間を要していた。
【０００５】
そこで、本発明は、円筒状フィルタの出し入れを容易に行うことができるろ過ユニットを提供することを課題とするものである。
【課題を解決するための手段】
【０００６】
本発明は、上記の課題を解決するためになされたもので、請求項１記載の発明は、上部にフィルタ挿入開口部を設け、且つ胴部に原水供給口を設けると共に上部と下部にろ過水取出口を設けたハウジングと、該ハウジングの前記フィルタ挿入開口部に緊締装置によって固定される開閉蓋と、前記ハウジングの内底部に固定され、円筒状フィルタの下部係合部を設けた適数のろ過水排出口及び先端に雄ねじ部を設けた軸棒を中心に立設した底盤と、前記円筒状フィルタの上部係合部を設けた適数のろ過水排出口及び取手を設けた前記円筒状フィルタの上部保持盤と、該上部保持盤に設けた中心孔に挿通した前記軸棒の雄ねじに螺合するロックナットと、前記ハウジング内面に設けた上部保持盤受部と、前記ハウジング内面に適宜間隔に設けたフィルタガイドとを具備したことを特徴とするろ過ユニットである。
【０００７】
請求項２記載の発明は、請求項１記載の発明において、前記緊締装置は、ハウジングの外面に枢着したアイボルトとスピンドルハンドルから成ることを特徴とするろ過ユニットである。
【０００８】
請求項３記載の発明は、請求項１記載の発明において、前記軸棒の雄ねじ部に螺合するロックナットにノブスターナットを用いたことを特徴とするろ過ユニットである。
【０００９】
請求項４記載の発明は、請求項１記載の発明において、前記フィルタガイドは、軸棒の挿通孔と円筒状フィルタの挿通孔及び周囲に原水流通用の切欠又は透孔を設けた金属板であることを特徴とするろ過ユニットである。
【００１０】
請求項５記載の発明は、請求項１記載の発明において、前記ろ過水取出口に逆洗用圧縮空気送入ソケットを設けたことを特徴とするろ過ユニットである。
【００１１】
請求項６記載の発明は、請求項1から５のいずれか一項に記載するろ過ユニットを備えたプール水浄化装置である。
【発明の効果】
【００１２】
請求項１記載の本発明によれば、緊締装置を解除して開閉蓋を外し、次いでロックナットを外し、取手を持って上部保持盤を開くことにより、各円筒状フィルタを手で取りだすことができ、また、円筒状フィルタの挿入時は、フィルタガイドに案内されて、可撓性のある長尺の円筒状フィルタであっても迅速に挿入することができ、長尺の円筒状フィルタの取出し、装着を楽に短時間で行うことができる効果がある。
【００１３】
また、請求項２記載の本発明によれば、工具を用いなくとも、開閉蓋の開閉を手作業で行うことができる。
【００１４】
また、請求項３記載の発明によれば、上部保持盤の着脱を工具を用いることなく手作業で行うことができる。
【００１５】
また、請求項４記載の発明によれば、ハウジングの剛性が増し、ハウジングを薄い材料で構成することができるので、軽量化に貢献する効果がある。
【００１６】
また、請求項５記載の発明によれば、円筒状フィルタの圧縮空気による逆洗を行うことができる。
【図面の簡単な説明】
【００１７】
【図１】従来のプール水浄化装置におけるろ過ユニットの接続状態を示した斜視図である。
【図２】本発明の実施例の平面図である。
【図３】図２のＡ−Ａ線縦断面図である。
【図４】本発明の実施例における開閉蓋の平面図である。
【図５】本発明の実施例におけるフィルタガイドの平面図である。
【図６】本発明の実施例のろ過ユニットを用いたプール水浄化装置の正面図である。
【図７】図６に示すプール水浄化装置の平面図である。
【発明を実施するための形態】
【００１８】
以下に、図面に基づいて本発明によるろ過ユニットの実施形態について説明する。図２は本発明の実施形態に係るろ過ユニット４の平面図で、５は取手６，６を設けた開閉蓋、７は前記開閉蓋５をハウジング８に緊締するためのスピードハンドル、９は前記ハウジング８の胴部に設けた原水供給口、１０ａは逆洗用圧縮空気送入ソケット１１ａを設けたろ過水取出口である。
【００１９】
図３は図２のＡ−Ａ線縦断面図で、ハウジング８の上部にはフィルタ挿入開口部８ａが設けられ、下部には逆洗用圧縮空気送入ソケット１１ｂを備えたろ過水取出口１０ａが設けられている。また、ハウジング８の内底部には、上部中心に先端に雄ねじ部１２ａを設けた軸棒１２を立設し、且つその周囲に円筒状フィルタ１３の下部係合部１４ａを設けた４個のろ過水排水口１４を備えた底盤１５が固定されている。また、前記円筒状フィルタ１３，１３の上部には、この円筒状フィルタ１３の上部係合部１６ａを設けた４個のろ過水排出口１６と取手１７を設けた円筒状フィルタ１３の上部保持盤１８が設けられている。この上部保持盤１８は、ハウジング８の内面に設けた上部保持盤受部１９によて支承され、軸棒１２の雄ねじ部１２ａにノブスターナット２０を螺合締結することで、４本の円筒状フィルタ１３をハウジング８内に固定する。なお、上部保持盤１８と上部保持盤受部１９間にＯリング２１が設けてあり、このＯリング２１により両者間をシールしている。
【００２０】
また、フィルタ挿入開口部８ａには前記開閉蓋５を嵌合し、ハウジング８の外面に枢着したアイボルト２２とスピードハンドル７から成る６組の緊締装置２３によって開閉蓋５をハウジング８のフィルタ挿入開口部８ａに締結される。そして、フィルタ挿入開口部８ａと開閉蓋５はＯリング２４，２５によってシールされている。なお、開閉蓋５とフィルタ挿入開口部８ａに設けたフランジ８ｂには図４に示すようにそれぞれアイボルト２２を係合させる６個の切欠５ａが設けられている。
【００２１】
更に、ハウジング８内には、図５に示すような形状の金属製フィルタガイド板２６が適宜の間隔で適数枚溶接されている。図中２７は軸棒挿入孔、２８は円筒状フィルタ１３のガイド孔、２９は原水流通用切欠で、これらはレーザーカット加工により形成される。この実施例では、原水を流通させるため切欠を設けるようにしたが、透孔としてもよい。また、円筒状フィルタ１３の本数は４本に限定されるものではない。
【００２２】
本発明に係る実施形態のろ過ユニットは、以上のように構成されているので、円筒状フィルタ１３を取り出す場合、先ず、アイボルト２２とスピードハンドル７から成る緊締装置２３を手動で解除して開閉蓋５を取手６を持って外し、次いで同じく手動でノブスターナット２０を外した後、取手１７を持って上部保持盤１８外せば、簡単且つ容易に円筒状フィルタ１３を取り出すことができる。即ち、工具を用いることなく手作業だけで容易に円筒状フィルタ１３を取り出すことができる。また、円筒状フィルタ１３を装着する場合は、最初のフィルタガイド板２６のガイド孔２８に円筒状フィルタ１３を挿入した後は、軟質の円筒状フィルタであっても順次下位のフィルタガイド板２６のガイド孔２８に挿通され、円滑に底盤１５まで挿入することができる。次に上部保持盤１８を装着し、軸棒１２の雄ねじ部１２ａにノブスターナット２０を螺合緊締することにより、各円筒状フィルタ１３をハウジング８内に固定することができ、次いで、開閉蓋５をハウジング８のフィルタ挿入開口部８ａに嵌合してアイボルト２２とスピードハンドル７から成る緊締装置２３で締結することにより、ハウジング８を密閉することができる。これら一連の作業はいずれも工具を用いずに手作業だけで行うことができるので、迅速に円筒状フィルタ１３の交換作業を遂行することができ、メンテナンスの時間短縮を図ることができる。また、フィルタガイド板２６は長尺の円筒状フィルタ１３の挿入を容易にするばかりでなく、ハウジング８の剛性を増す効果があり、従ってハウジング８の厚さを薄くすることができるので、軽量化と製作費低減の効果がある。更に長尺の円筒状フィルタ１３であっても、短尺の円筒状フィルタと同様の保持状態となるため、原水流入中又は高圧空気による逆洗中、円筒状フィルタの振れが少なくなるため、従来のろ過ユニットよりろ過及び逆洗効果が向上する効果が得られる。
【００２３】
以上、本発明に係るろ過ユニットの実施態様について説明したが、その使用例として、次にこのろ過ユニットを用いたプール水を浄化するプール水浄化装置について説明する。しかしその用途はプ−ル水浄化装置のみに限定されるものではない。
【００２４】
図６及び図７は前記本発明に係るろ過ユニットを利用したプール水浄化装置の配管接続例を示すもので、図６は正面図、図７はその平面図である。
【００２５】
この使用例では３本の本発明に係るろ過ユニット４，４，４を使用し、各ろ過ユニット４，４，４の上下に設けたろ過水取出口１０ａ，１０ｂをバルブＶ１、Ｖ２介して排水側にバルブＶ３を設けたろ過水排水管３０に接続し、各ろ過ユニット４，４，４の各原水供給口９は、連結管３１及びバルブＶ４を介して電動機３２により駆動されるポンプ３３の吐出側に配管接続され、ポンプ３３のプール水流入側は、ヘアーキャッチャー３４を介してプール水吸入管３５に配管接続される。また、前記連結管３１にはバルブＶ５を介して排水管３６が接続されている。
【００２６】
各バルブＶ１〜Ｖ５にはエア駆動弁、電磁弁、電動弁等が用いられ、図６及び図７に図示しなかったが、これらバルブＶ１〜Ｖ５及び電動機３２はコントローラによって制御されるものであることは現用のプール水浄化装置と同様である。
【００２７】
ろ過工程では、バルブＶ１〜Ｖ４を開き、バルブＶ５を閉じ、電動機３２を起動させてポンプ３３を駆動する。ポンプ３３の駆動により原水（プール水）がプール水吸入管３５を介して吸入され、ヘアーキャッチャー３４により、原水に含まれ、あるいは浮遊している髪の毛、糸くず、絆創膏やゴミなどの粗大な不純物が除去され、次いで、ろ過ユニット４，４，４により浄化されてろ過水排出管から排出され、プールへ還元される。
【００２８】
ろ過工程中、円筒状フィルタ１３に目詰まりが発生すると圧力損失が大きくなり、ハウジング８の内外圧に差が生じ、圧力差が規定値を超えたことを圧力センサ（図示せず）が検出すると前記コントローラはＶ１〜Ｖ４を閉じると共にバルブＶ５を開き、更にコンプレッサー（図示せず）からの圧縮空気を逆洗用圧縮空気送入ソケット１１ａ，１１ｂを介してハウジング８に送入する。送入された圧縮空気は、円筒状フィルタ１３の中心部から外方に向かって噴出し、円筒状フィルタ１３に付着した汚れを洗浄する。そして、円筒状フィルタ１３に付着していた汚れは、原水供給口９、連結管３１及びバルブ５を通してハウジング８内の原水と共に排水管３６から排水される。この逆洗工程が終了するとエア抜きの後、再びろ過工程に移り、プール水の浄水が行われる。
【００２９】
以上、本発明に係るろ過ユニットをプール水浄化装置に使用した場合について説明したが、用途に応じた材質の円筒状フィルタを選択使用することにより、プール水以外の液体又は工業用水を始めとする工業用液体、排水、排液、雨水、湖水、河川水、海水等の浄化装置のろ過ユニットとして好適である。
【符号の説明】
【００３０】
１，４            ろ過ユニット
５                開閉蓋
６                取手
７                スピードハンドル
８                ハウジング
８ａ              フィルタ挿入開口部
８ｂ              フランジ
９                原水供給口
１０ａ，１０ｂ    ろ過水取出口
１１ａ，１１ｂ    逆洗用圧縮空気送入ソケット
１２              軸棒
１２ａ            雄ねじ部
１３              円筒状フィルタ
１４，１６        ろ過水排水口
１４ａ            下部係合部
１５              底盤
１６ａ            上部係合部
１７              取手
１８              上部保持盤
１９              上部保持盤受部
２０              ノブスターナット
２１，２４、２５  Ｏリング            
２２              アイボルト
２３              緊締装置
２６              フィルタガイド板
２７              軸棒挿入孔
２８              ガイド孔
２９              原水流通用切欠
３０              ろ過水排水管
３１              連結管
３２              電動機
３３              ポンプ
３４              ヘアーキャッチャー
３５              プール水吸入管
３６              排水管
【図１】
2019093322.tif 000003
【図２】
2019093322.tif 000004
【図３】
2019093322.tif 000005
【図４】
2019093322.tif 000006
【図５】
2019093322.tif 000007
【図６】
2019093322.tif 000008
【図７】
2019093322.tif 000009
【手続補正書】
【提出日】平成31年2月14日(2019.2.14)
【手続補正１】
【補正対象書類名】特許請求の範囲
【補正対象項目名】全文
【補正方法】変更
【補正の内容】
【特許請求の範囲】
【請求項１】
上部にフィルタ挿入開口部を設け、且つ胴部に原水供給口を設けると共に上部と下部にろ過水取出口を設けたハウジングと、該ハウジングの前記フィルタ挿入開口部に緊締装置によって固定される開閉蓋と、前記ハウジングに内装される適数の円筒状フィルタと、前記ハウジングの内底部に固定され、且つ上部先端に雄ねじ部を設けた軸棒を上部中心に立設し、その周囲に前記円筒状フィルタの下部係合部を設けた適数のろ過水排出口を配置した底盤と、前記円筒状フィルタの上部係合部を設けた適数のろ過水排出口及び取手を設けた前記円筒状フィルタの上部保持盤と、該上部保持盤に設けた中心孔に挿通した前記軸棒の雄ねじに螺合するロックナットと、前記ハウジング内面に設けた上部保持盤受部と、前記ハウジング内面に適宜間隔に設けたフィルタガイドとを具備したことを特徴とするろ過ユニット。
【請求項２】
前記緊締装置は、ハウジングの外面に枢着したアイボルトとスピンドルハンドルから成ることを特徴とする請求項１記載のろ過ユニット。
【請求項３】
前記軸棒の雄ねじ部に螺合するナットにノブスターナットを用いたことを特徴とする請求項１記載のろ過ユニット。
【請求項４】
前記フィルタガイドは、軸棒の挿通孔と円筒状フィルタの挿通孔及び周囲に原水流通用の切欠又は透孔を設けた金属板であることを特徴とする請求項１記載のろ過ユニット。
【請求項５】
前記ろ過水取出口に逆洗用圧縮空気送入ソケットを設けたことを特徴とする請求項１記載のろ過ユニット。
【請求項６】
請求項1から５のいずれか一項に記載するろ過ユニットを備えたプール水浄化装置。
【手続補正２】
【補正対象書類名】明細書
【補正対象項目名】全文
【補正方法】変更
【補正の内容】
【発明の詳細な説明】
【技術分野】
【０００１】
本発明は、プ−ル水を始めとして、飲料水、ジュース、酒類、液体調味料等の飲食用液体、工業用水を始めとする工業用液体、排水、排液、雨水、湖水、河川水等のろ過に好適なろ過ユニットに関するものである。
【背景技術】
【０００２】
現在、多くのプール水の浄化装置では、図１に示すように、必要なろ過能力に応じた本数のろ過ユニット１を並設し、各ろ過ユニット１の上部ろ過水排出口をビクトリアンジョイント２をそれぞれ介してろ過水排水管３に連結するようにしているが、ろ過ユニット１からのフィルタの取り出しや装着時に、前記ビクトリアンジョイント２の着脱に手間を要し、メンテナンス作業に多大の時間を要していた。
【先行技術文献】
【特許文献】
【０００３】
【特許文献１】特開２００１−３８１１５号公報
【発明の概要】
【発明が解決しようとする課題】
【０００４】
図１に示す従来装置では、前述のようにビクトリアンジョイント２の着脱に手間を要するだけでなく、複数本の円筒状フィルタを上下のエレメントプレートで挟み、軸棒とロックナットで締結して、前記複数本の円筒状フィルタを同時にハウジングから取り出す構造としているため、各円筒状フィルタの脱着にも手間と時間を要していた。
【０００５】
そこで、本発明は、円筒状フィルタの出し入れを容易に行うことができるろ過ユニットを提供することを課題とするものである。
【課題を解決するための手段】
【０００６】
本発明は、上記の課題を解決するためになされたもので、請求項１記載の発明は、上部にフィルタ挿入開口部を設け、且つ胴部に原水供給口を設けると共に上部と下部にろ過水取出口を設けたハウジングと、該ハウジングの前記フィルタ挿入開口部に緊締装置によって固定される開閉蓋と、前記ハウジングに内装される適数の円筒状フィルタと、前記ハウジングの内底部に固定され、且つ上部先端に雄ねじ部を設けた軸棒を上部中心に立設し、その周囲に前記円筒状フィルタの下部係合部を設けた適数のろ過水排出口を配置した底盤と、前記円筒状フィルタの上部係合部を設けた適数のろ過水排出口及び取手を設けた前記円筒状フィルタの上部保持盤と、該上部保持盤に設けた中心孔に挿通した前記軸棒の雄ねじに螺合するロックナットと、前記ハウジング内面に設けた上部保持盤受部と、前記ハウジング内面に適宜間隔に設けたフィルタガイドとを具備したことを特徴とするろ過ユニットである。
【０００７】
請求項２記載の発明は、請求項１記載の発明において、前記緊締装置は、ハウジングの外面に枢着したアイボルトとスピンドルハンドルから成ることを特徴とするろ過ユニットである。
【０００８】
請求項３記載の発明は、請求項１記載の発明において、前記軸棒の雄ねじ部に螺合するロックナットにノブスターナットを用いたことを特徴とするろ過ユニットである。
【０００９】
請求項４記載の発明は、請求項１記載の発明において、前記フィルタガイドは、軸棒の挿通孔と円筒状フィルタの挿通孔及び周囲に原水流通用の切欠又は透孔を設けた金属板であることを特徴とするろ過ユニットである。
【００１０】
請求項５記載の発明は、請求項１記載の発明において、前記ろ過水取出口に逆洗用圧縮空気送入ソケットを設けたことを特徴とするろ過ユニットである。
【００１１】
請求項６記載の発明は、請求項1から５のいずれか一項に記載するろ過ユニットを備えたプール水浄化装置である。
【発明の効果】
【００１２】
請求項１記載の本発明によれば、緊締装置を解除して開閉蓋を外し、次いでロックナットを外し、取手を持って上部保持盤を開くことにより、各円筒状フィルタを手で取りだすことができ、また、円筒状フィルタの挿入時は、フィルタガイドに案内されて、可撓性のある長尺の円筒状フィルタであっても迅速に挿入することができ、長尺の円筒状フィルタの取出し、装着を楽に短時間で行うことができる効果がある。
【００１３】
また、請求項２記載の本発明によれば、工具を用いなくとも、開閉蓋の開閉を手作業で行うことができる。
【００１４】
また、請求項３記載の発明によれば、上部保持盤の着脱を工具を用いることなく手作業で行うことができる。
【００１５】
また、請求項４記載の発明によれば、ハウジングの剛性が増し、ハウジングを薄い材料で構成することができるので、軽量化に貢献する効果がある。
【００１６】
また、請求項５記載の発明によれば、円筒状フィルタの圧縮空気による逆洗を行うことができる。
【図面の簡単な説明】
【００１７】
【図１】従来のプール水浄化装置におけるろ過ユニットの接続状態を示した斜視図である。
【図２】本発明の実施例の平面図である。
【図３】図２のＡ−Ａ線縦断面図である。
【図４】本発明の実施例における開閉蓋の平面図である。
【図５】本発明の実施例におけるフィルタガイドの平面図である。
【図６】本発明の実施例のろ過ユニットを用いたプール水浄化装置の正面図である。
【図７】図６に示すプール水浄化装置の平面図である。
【発明を実施するための形態】
【００１８】
以下に、図面に基づいて本発明によるろ過ユニットの実施形態について説明する。図２は本発明の実施形態に係るろ過ユニット４の平面図で、５は取手６，６を設けた開閉蓋、７は前記開閉蓋５をハウジング８に緊締するためのスピードハンドル、９は前記ハウジング８の胴部に設けた原水供給口、１０ａは逆洗用圧縮空気送入ソケット１１ａを設けたろ過水取出口である。
【００１９】
図３は図２のＡ−Ａ線縦断面図で、ハウジング８の上部にはフィルタ挿入開口部８ａと逆洗用圧縮空気送入ソケット１１ａを備えたろ過水取出口１０ｂが設けられ、下部には逆洗用圧縮空気送入ソケット１１ｂを備えたろ過水取出口１０ａが設けられている。また、ハウジング８の内底部には、上部中心に上部先端に雄ねじ部１２ａを設けた軸棒１２を立設し、且つその周囲に円筒状フィルタ１３の下部係合部１４ａを設けた４個のろ過水排水口１４を備えた底盤１５が固定されている。また、前記下部係合部１４ａに下端を係合した円筒状フィルタ１３，１３の上部には、この円筒状フィルタ１３の上部係合部１６ａを設けた４個のろ過水排出口１６と取手１７を設けた円筒状フィルタ１３の上部保持盤１８が設けられている。この上部保持盤１８は、ハウジング８の内面に設けた上部保持盤受部１９によて支承され、軸棒１２の雄ねじ部１２ａにノブスターナット２０を螺合締結することで、４本の円筒状フィルタ１３をハウジング８内に固定する。なお、上部保持盤１８と上部保持盤受部１９間にＯリング２１が設けてあり、このＯリング２１により両者間をシールしている。
【００２０】
また、フィルタ挿入開口部８ａには前記開閉蓋５を嵌合し、ハウジング８の外面に枢着したアイボルト２２とスピードハンドル７から成る６組の緊締装置２３によって開閉蓋５をハウジング８のフィルタ挿入開口部８ａに締結される。そして、フィルタ挿入開口部８ａと開閉蓋５はＯリング２４，２５によってシールされている。なお、開閉蓋５とフィルタ挿入開口部８ａに設けたフランジ８ｂには図４に示すようにそれぞれアイボルト２２を係合させる６個の切欠５ａが設けられている。
【００２１】
更に、ハウジング８内には、図５に示すような形状の金属製フィルタガイド板２６が適宜の間隔で適数枚溶接されている。図中２７は軸棒挿入孔、２８は円筒状フィルタ１３のガイド孔、２９は原水流通用切欠で、これらはレーザーカット加工により形成される。この実施例では、原水を流通させるため切欠を設けるようにしたが、透孔としてもよい。また、円筒状フィルタ１３の本数は４本に限定されるものではない。
【００２２】
本発明に係る実施形態のろ過ユニットは、以上のように構成されているので、円筒状フィルタ１３を取り出す場合、先ず、アイボルト２２とスピードハンドル７から成る緊締装置２３を手動で解除して開閉蓋５を取手６を持って外し、次いで同じく手動でノブスターナット２０を外した後、取手１７を持って上部保持盤１８外せば、簡単且つ容易に円筒状フィルタ１３を取り出すことができる。即ち、工具を用いることなく手作業だけで容易に円筒状フィルタ１３を取り出すことができる。また、円筒状フィルタ１３を装着する場合は、最初のフィルタガイド板２６のガイド孔２８に円筒状フィルタ１３を挿入した後は、軟質の円筒状フィルタであっても順次下位のフィルタガイド板２６のガイド孔２８に挿通され、円滑に底盤１５まで挿入することができる。次に上部保持盤１８を装着し、軸棒１２の雄ねじ部１２ａにノブスターナット２０を螺合緊締することにより、各円筒状フィルタ１３をハウジング８内に固定することができ、次いで、開閉蓋５をハウジング８のフィルタ挿入開口部８ａに嵌合してアイボルト２２とスピードハンドル７から成る緊締装置２３で締結することにより、ハウジング８を密閉することができる。これら一連の作業はいずれも工具を用いずに手作業だけで行うことができるので、迅速に円筒状フィルタ１３の交換作業を遂行することができ、メンテナンスの時間短縮を図ることができる。また、フィルタガイド板２６は長尺の円筒状フィルタ１３の挿入を容易にするばかりでなく、ハウジング８の剛性を増す効果があり、従ってハウジング８の厚さを薄くすることができるので、軽量化と製作費低減の効果がある。更に長尺の円筒状フィルタ１３であっても、短尺の円筒状フィルタと同様の保持状態となるため、原水流入中又は高圧空気による逆洗中、円筒状フィルタの振れが少なくなるため、従来のろ過ユニットよりろ過及び逆洗効果が向上する効果が得られる。
【００２３】
以上、本発明に係るろ過ユニットの実施態様について説明したが、その使用例として、次にこのろ過ユニットを用いたプール水を浄化するプール水浄化装置について説明する。しかしその用途はプ−ル水浄化装置のみに限定されるものではない。
【００２４】
図６及び図７は前記本発明に係るろ過ユニットを利用したプール水浄化装置の配管接続例を示すもので、図６は正面図、図７はその平面図である。
【００２５】
この使用例では３本の本発明に係るろ過ユニット４，４，４を使用し、各ろ過ユニット４，４，４の上下に設けたろ過水取出口１０ａ，１０ｂをバルブＶ１、Ｖ２介して排水側にバルブＶ３を設けたろ過水排水管３０に接続し、各ろ過ユニット４，４，４の各原水供給口９は、連結管３１及びバルブＶ４を介して電動機３２により駆動されるポンプ３３の吐出側に配管接続され、ポンプ３３のプール水流入側は、ヘアーキャッチャー３４を介してプール水吸入管３５に配管接続される。また、前記連結管３１にはバルブＶ５を介して排水管３６が接続されている。
【００２６】
各バルブＶ１〜Ｖ５にはエア駆動弁、電磁弁、電動弁等が用いられ、図６及び図７に図示しなかったが、これらバルブＶ１〜Ｖ５及び電動機３２はコントローラによって制御されるものであることは現用のプール水浄化装置と同様である。
【００２７】
ろ過工程では、バルブＶ１〜Ｖ４を開き、バルブＶ５を閉じ、電動機３２を起動させてポンプ３３を駆動する。ポンプ３３の駆動により原水（プール水）がプール水吸入管３５を介して吸入され、ヘアーキャッチャー３４により、原水に含まれ、あるいは浮遊している髪の毛、糸くず、絆創膏やゴミなどの粗大な不純物が除去され、次いで、ろ過ユニット４，４，４により浄化されてろ過水排出管から排出され、プールへ還元される。
【００２８】
ろ過工程中、円筒状フィルタ１３に目詰まりが発生すると圧力損失が大きくなり、ハウジング８の内外圧に差が生じ、圧力差が規定値を超えたことを圧力センサ（図示せず）が検出すると前記コントローラはＶ１〜Ｖ４を閉じると共にバルブＶ５を開き、更にコンプレッサー（図示せず）からの圧縮空気を逆洗用圧縮空気送入ソケット１１ａ，１１ｂを介してハウジング８に送入する。送入された圧縮空気は、円筒状フィルタ１３の中心部から外方に向かって噴出し、円筒状フィルタ１３に付着した汚れを洗浄する。そして、円筒状フィルタ１３に付着していた汚れは、原水供給口９、連結管３１及びバルブ５を通してハウジング８内の原水と共に排水管３６から排水される。この逆洗工程が終了するとエア抜きの後、再びろ過工程に移り、プール水の浄水が行われる。
【００２９】
以上、本発明に係るろ過ユニットをプール水浄化装置に使用した場合について説明したが、用途に応じた材質の円筒状フィルタを選択使用することにより、プール水以外の液体又は工業用水を始めとする工業用液体、排水、排液、雨水、湖水、河川水、海水等の浄化装置のろ過ユニットとして好適である。
【符号の説明】
【００３０】
１，４            ろ過ユニット
５                開閉蓋
６                取手
７                スピードハンドル
８                ハウジング
８ａ              フィルタ挿入開口部
８ｂ              フランジ
９                原水供給口
１０ａ，１０ｂ    ろ過水取出口
１１ａ，１１ｂ    逆洗用圧縮空気送入ソケット
１２              軸棒
１２ａ            雄ねじ部
１３              円筒状フィルタ
１４，１６        ろ過水排水口
１４ａ            下部係合部
１５              底盤
１６ａ            上部係合部
１７              取手
１８              上部保持盤
１９              上部保持盤受部
２０              ノブスターナット
２１，２４、２５  Ｏリング            
２２              アイボルト
２３              緊締装置
２６              フィルタガイド板
２７              軸棒挿入孔
２８              ガイド孔
２９              原水流通用切欠
３０              ろ過水排水管
３１              連結管
３２              電動機
３３              ポンプ
３４              ヘアーキャッチャー
３５              プール水吸入管
３６              排水管
【手続補正３】
【補正対象書類名】図面
【補正対象項目名】図３
【補正方法】変更
【補正の内容】
【図３】
2019093322.tif 000010